(57)【要約】【課題】　気温に係わらず一年中快適に使用でき、独特の使用感を有する寝具類を提供する。【解決手段】　予備発泡粒子１・・・１を多数内包する伸縮性に優れた内側袋２を備え、この内側袋２の外表面にはチタン被膜５が形成されている寝具マットＭＴとする。【選択図】　図１
2004121833.tif 000002
【特許請求の範囲】
【請求項１】
予備発泡粒子をほぼ均一に内包する伸縮性に優れた袋体を備え、前記袋体には金属被膜が形成されていることを特徴とする寝具類。
【請求項２】
前記袋体は、ツーウェイトリコット生地で構成されている請求項１に記載の寝具類。
【請求項３】
前記金属被膜は、チタンで構成されている請求項１又は２に記載の寝具類。
【請求項４】
前記袋体とは別に、これを覆う外部袋体を備える請求項１〜３の何れかに記載の寝具類。
【請求項５】
前記金属被膜は、前記袋体の外表面に形成されている請求項１〜４の何れかに記載の寝具類。
【請求項６】
予備発泡粒子をほぼ均一に内包する伸縮性に優れた袋体と、前記袋体を覆う外部袋体とを備え、前記外部袋体の外表面を除く何れかの表面に金属被膜が形成されている請求項１〜５の何れかに記載の寝具類。
【請求項７】
前記袋体及び／又は外部袋体は、ポリエステルの経編み組織に、ポリウレタンを挿入して構成されている請求項１〜６の何れかに記載の寝具類。
【請求項８】
前記金属膜の膜厚は５０〜２０００Åである請求項１〜７の何れかに記載の寝具類。
【請求項９】
前記袋体及び／又は外部袋体の厚みは、０．３ｍｍ〜１．５ｍｍである請求項１〜８の何れかに記載の寝具類。
【請求項１０】
発泡粒子を内蔵する内袋を外袋に収納してなり、前記外袋の内外表面の少なくとも一方には、使用者の頭部に当接する箇所に対応して金属被膜が形成されていることを特徴とする安眠まくら。
【請求項１１】
使用者に対面する前記外袋の上部は、伸縮性に欠ける帯状の部材によって、伸縮性に富む部材が、使用者の身長方向に仕切られて構成されている請求項１０に記載の安眠まくら。
【請求項１２】
前記伸縮性に富む部材に、前記金属被膜が形成されている請求項１１に記載の安眠まくら。
【請求項１３】
前記伸縮性に富む部材は、使用者の身長方向の長さが異なる二つの部分からなる請求項１１又は１２に記載の安眠まくら。
【請求項１４】
前記帯状の部材は、その一部が伸縮性に欠ける部材で底面と接続されている請求項１１〜１３の何れかに記載の安眠まくら。
【請求項１５】
前記外袋は、伸縮性に欠ける部材で形成された基材部と、伸縮性を有する部材とで構成され、前記基材部は、底面と、底面から立ち上がる側面とを含んでいる請求１０〜１４の何れかに記載の安眠まくら。
【請求項１６】
前記外袋の内部には、複数の円筒形状の内袋が収納されてなり、前記内袋の軸方向が、使用者の身長方向に直交して配置されている請求項１０〜１５の何れかに記載の安眠まくら。
【発明の詳細な説明】
【技術分野】
【０００１】
　本発明は、予備発泡粒子を内包する寝具類、及び、予備発泡粒子を伸縮性に富む生地で内包して理想的な寝姿を実現できる安眠まくらに関する。
【背景技術】
【０００２】
　発泡スチロールは、予備発泡ビーズの再膨張と融着によって製造されるので、従来、小粒の予備発泡ビーズはその用途がなく廃棄されることが多いのが実情であった。そこで、このような実情を踏まえ、本発明者が鋭意研究した結果、小粒の予備発泡ビーズを伸縮性の布地に充填することによって使用感の良いクッションを完成するに至り、非常に好評を博している。
【０００３】
　但し、このような構成のクッションは、予備発泡ビーズの細かさから、独特の伸縮感を発揮するものの、内部に熱を持ちやすく、そのため、特に夏場の寝具類としては使用に適さないという問題があった。
【０００４】
　ところで、人間が健康状態を維持するためには、所定時間以上の睡眠をとることが必須であり、この睡眠によって体力を回復することができ、正常に活動を再開することが可能となる。かかる意味において人間にとって睡眠は極めて重要であり、その睡眠を快適に実現する上で、まくらの選択は極めて重要な意味を持っている。
【発明の開示】
【発明が解決しようとする課題】
【０００５】
　一般に、寝ている状態でも、直立している状態と同様の、頭と首と背筋の姿勢を維持することが大切であると言われている。しかしながら、この理想的な寝姿を実現することは容易でなく、そのため自分の体型に合ったまくらを見つけるために、何度もまくらを購入し直さなければならない人も少なくないのが実情である。
【０００６】
　また、快適な睡眠を実現するには、いわゆる頭寒足熱の状態を維持できる必要があり、まくらに熱がこもることが確実に防止できる必要がある。
【０００７】
　この発明は、上記種々の問題点に鑑みてなされたものであって、気温に係わらず一年中快適に使用でき、独特の使用感を楽しむことのできる寝具類を提供することを課題とする。また、各人の体型に拘わらず快適な寝姿を実現でき、しかも放熱効果に優れて熱がこもることのない安眠まくらを提供することを課題とする。
【課題を解決するための手段】
【０００８】
　上記の課題を解決するため、請求項１に係る発明は、予備発泡粒子をほぼ均一に内包する伸縮性に優れた袋体を備え、前記袋体には金属被膜が形成されている。前記袋体は、ツーウェイトリコット生地で構成されているのが好適であり、前記袋体とは別に、これを覆う外部袋体（好適にはツーウェイトリコット生地）を備える構成が好適である。
【０００９】
　前記金属被膜は、チタンで構成されているのが好適であり、このような金属被膜が前記袋体の外表面に形成されているのが好適である。一方、予備発泡粒子をほぼ均一に内包する伸縮性に優れた袋体と、前記袋体を覆う外部袋体とを備え、前記外部袋体の外表面を除く何れかの表面（外表面又は内表面）に、金属被膜が形成されている構成も好適である。
【００１０】
　前記袋体及び／又は外部袋体は、ポリエステルの経編み組織に、ポリウレタンを挿入して構成されているのが典型的である。前記金属膜の膜厚は、好適には５０〜２０００Åであり、前記袋体及び／又は外部袋体の厚みは、好適には０．３ｍｍ〜１．５ｍｍである。
【００１１】
　また、請求項１０に係る安眠まくらは、発泡粒子を内蔵する内袋を外袋に収納してなり、前記外袋の内外表面の少なくとも一方には、使用者の頭部に当接する箇所に対応して金属被膜が形成されている。
【００１２】
　本発明に係るまくらには、発泡粒子が内蔵されているので、各人の体型にあった快適な寝姿を実現でき、また、金属被膜が形成されているので放熱性に優れ、いわゆる頭寒足熱の状態を維持できる。
【００１３】
　本発明において金属膜は、特に限定されないが、アルミニウム、ステンレス、チタンなどが好適であり、耐蝕性や加工容易性などの観点から特にチタンが好適である。チタン被膜を形成する場合、膜厚は５０〜２０００Åの範囲に設定すべきであるが、十分な熱伝導性を発揮するには２５０Å以上が選択され、肌触りの感触を考慮すると、３００〜５００Å程度の膜厚とするのが好ましい。
【００１４】
　本発明で使用する発泡粒子も特に限定されないが、好適には、その粒子径（各発泡粒子の平均直径）が０．１〜１．４ｍｍ、より好ましくは０．４〜０．９ｍｍ程度のものが使用される。また、好適には、ビーズ法ポリスチレンフォームの予備発泡工程で生成される予備発泡体が使用される。
【００１５】
　本発明の安眠まくらは、好ましくは、使用者に対面する前記外袋の上部は、伸縮性に欠ける帯状の部材によって、伸縮性に富む部材が、使用者の身長方向に仕切られて構成されている。帯状の部材や伸縮性の富む部材は、好適には生地材で構成される。伸縮性に富む生地としては、ツーウェイトリコット生地が好適に採用される。
【００１６】
　また、好適には、前記伸縮性に富む部材に、前記金属被膜が形成され、また、前記伸縮性に富む部材は、使用者の身長方向の長さが異なる二つの部分から構成されている。好適には、前記帯状の部材は、その一部が伸縮性に欠ける部材で底面と接続されている。
【００１７】
　また、前記外袋は、伸縮性に欠ける部材で形成された基材部と、伸縮性を有する部材とで構成され、前記基材部は、底面と、底面から立ち上がる側面とを含んでいるのが好ましく、前記外袋の内部には、複数の円筒形状の内袋が収納されてなり、前記内袋の軸方向が、使用者の身長方向に直交して配置されているのが好ましい。
【００１８】
　本発明の発泡体は、好適には、原料ビーズを予備発泡させたものであり、この原料ビーズは、原料ビーズ１００重量部に対して０．５〜１．５重量部の流動促進剤によって表面被覆されているのが好ましい。ここで、前記流動促進剤は脂肪酸と金属の塩であり、前記脂肪酸は、ステアリン酸、エチレンビスステアリン酸、ラウリン酸、パルミチン酸から選択される何れか一種以上であり、前記金属は、マグネシウム、カルシウム、亜鉛、バリウム、アルミニウムから選択される何れか一種以上であるのが好ましい。
【発明の効果】
【００１９】
　以上説明した請求項１に係る発明によれば、気温に係わらず一年中快適に使用でき、独特の使用感を有する寝具類を実現できる。また、請求項１０に係る発明によれば、各人の体型に拘わらず快適な寝姿を実現でき、しかも放熱効果に優れてまくらに熱がこもることのない安眠まくらを提供できる。
【発明を実施するための最良の形態】
【００２０】
　以下、第１実施例に基づいて請求項１に係る寝具類について具体的に説明する。図１は、金属被膜を備えた寝具の一実施例であり、本発明を寝具マットに適用した場合の断面形状を例示したものである。図示の通り、この寝具マットＭＴは、微細な予備発泡粒子２１…２１をほぼ均一に内包する内側袋２２と、内側袋２２を覆う外側袋２３とで構成されている。
【００２１】
　［予備発泡粒子］ここで予備発泡粒子２１とは、ビーズ法ポリスチレンフォームの予備発泡工程で生成される発泡体であり、この実施例では、特に、その粒子径（各発泡粒子の平均直径）が０．１〜０．９ｍｍ程度のものが使用される。
【００２２】
　発泡スチロールとも呼ばれるビーズ法ポリスチレンフォームは、一般に、(a)直径０．３〜２ｍｍ程度の原料ビーズを加熱して１０〜９０倍程度に発泡させる予備発泡工程と、(b)熟成サイロに６時間以上放置して、気泡内に空気を浸入させて安定な状態に移行させる乾燥熟成工程と、(c)熟成後の予備発泡ビーズを成形機の金型に充填して１１５℃〜１２５℃のスチームによって再膨張と融着をさせる発泡成形工程によって製造されるが、本実施例では、最終の発泡成形工程に供される手前の予備発泡粒子が使用される。
【００２３】
　なお、原料ビーズは、ポリスチレン樹脂、ポリエチレン樹脂、ポリプロピレン樹脂などが使用できるが、好適には、炭化水素系の発泡剤などを含有させたポリスチレン樹脂が採用される。なかでも、残留スチレンモノマーの量が５００ｐｐｍに抑制されたものが好適であり、この場合には、シックハウス（室内空気汚染）の心配のない寝具類を提供できる。
【００２４】
　発泡剤としては、ブタン及びペンタンが好適に使用され、また、発泡助剤としてシクロヘキサンが好適に使用される。これらの含有量は、特に限定されないが、好適には、ポリスチレンが９０〜９７重量％、ブタン及びペンタンが３．０〜８．０重量％、シクロヘキサンが０〜２．０重量％である。
【００２５】
　このような組成の原料ビーズが、蒸気などを利用して８０〜１００℃程度に加熱されると、発泡剤の膨張によって原料ビーズが発泡する。この実施例では、発泡倍率が１０〜８０倍程度に設定されており、発泡粒子は、その粒子径が０．１〜０．９ｍｍ程度に管理されている。
【００２６】
　本実施例の場合、発泡剤の膨張によって発泡した発泡粒子は、所定圧の熱風によって舞い上げられて熟成サイロに導入されるようになっている。このように、発泡粒子は熱風によって１１ｍ程度上昇させた後に熟成サイロに導入されるので、導入までの過程で、発泡粒子の表面の水分を乾燥させることができ、また、発泡粒子内部の発泡剤と空気との置換を促進することができる。しかも、粒子径の選別もある程度可能であり、粒子径の揃った発泡粒子を集めることが可能となる。
【００２７】
　［内側袋及び外側袋］本実施例の場合、内側袋２２と外側袋２３は、ツーウェイトリコット生地２４の外表面に、スパッタリング加工により金属膜２５を形成したものである。ここで、ツーウェイトリコット生地とは、ナイロンやポリエステルの経編み（トリコット）組織に、ポリウレタンを挿入したものをいい、この実施例では、ポリエステル７５〜８５重量％程度、ポリウレタン１５〜２５重量％程度のものが使用されている。
【００２８】
　このように、本実施例の寝具マットＭＴは、ツーウェイトリコット生地を採用しているので、縦横に延びる十分な伸縮性を有している。なお、その厚みは、特に限定されないが、０．３ｍｍ〜１．５ｍｍ程度のものが選択され、好ましくは、１ｍｍ未満、より好ましくは０．５ｍｍ〜０．６ｍｍのものが選択される。
【００２９】
　金属膜２５も特に限定されないが、アルミニウム、ステンレス、チタンなどが好適であり、耐蝕性や加工容易性などの観点から特にチタンが好適である。チタン被膜を形成する場合、膜厚は５０〜２０００Åの範囲に設定すべきであるが、十分な熱伝導性を発揮するには２５０Å以上が選択され、肌触りの感触を考慮すると、３００〜５００Å程度の膜厚とするのが好ましい。
【００３０】
　以上の通り、この実施例では、この内側袋２２が伸縮性に富むツーウェイトリコット生地２４で構成されていると共に、内側袋２２には微細な予備発泡粒子がほぼ均一に内包されているので、使用者の荷重によって、全体が円滑に変形して図２に示すように、ウォータベッドのような使用感を実現することができる。
【００３１】
　しかも、内側袋２２は、チタン膜２５で覆われているので、放熱効果に優れており、使用者の体温によって内部の予備発泡粒子２１・・・２１に熱が溜まるなどの不具合がない。すなわち、予備発泡粒子２１・・・２１を単に内包するだけでは、気温の高い季節には、内部に溜まった熱によって寝苦しいという弊害があるが、本実施例では夏場でも快適に使用することができる。
【００３２】
　また、内側袋２２と外側袋２３の二重構造を採用しているので、介在する空気層によって熱伝導を阻害することができると共に、乱暴に使用して、万一、内側袋２３の一部が破損しても内部の予備発泡粒子が外部に漏れ出ることもない。
【００３３】
　次に、放熱特性を確認した実験について説明する。
【００３４】
　試料１：試料１として、Ｅ５６Ｔ２４ｆ（２４フィラメントで構成された５６デシテックスのポリエステル糸）８１重量％と、Ｕ４４Ｔ（４４デシテックスのポリウレタン糸）１９重量％とによるツーウェイトリコット生地１（白色）を用いた。このツーウェイトリコット生地の表面には、スパッタリング加工によって膜厚４００Åのチタン膜が設けられている。
【００３５】
　試料２：試料２として、Ｅ５６Ｔ１８ｆ（１８フィラメントで構成された５６デシテックスのポリエステル糸）８３重量％と、Ｕ４４Ｔ（４４デシテックスのポリウレタン糸）１７重量％とによるツーウェイトリコット生地２（白色）を用いた。このツーウェイトリコット生地の表面にも、スパッタリング加工によって膜厚４００Åのチタン膜が設けられている。
【００３６】
　試料３：試料３として、Ｅ５６Ｔ２４ｆ（２４フィラメントで構成された５６デシテックスのポリエステル糸）８１重量％と、Ｕ４４Ｔ（４４デシテックスのポリウレタン糸）１９重量％とによるツーウェイトリコット生地３（白色）を用いた。なお、試料３は、糸断面における縦横比が１：５のものを使用している。このツーウェイトリコット生地の表面にも、スパッタリング加工によって膜厚４００Åのチタン膜が設けられている。
【００３７】
　［実験内容］平面状の各試料（チタン膜を上にした生地）に対して、５００００ルクスの光源（レフランプ）を高さ３５ｃｍから５分間照射し、生地裏に接触させた温度センサによって各部の温度を計測した。なお、試料３については、表裏反転されたもの（試料４）についても実験した。また、試料１〜試料３と同一の生地にスパッタリング膜を形成しない比較例１〜比較例３についても同様の実験を行った。
【００３８】
　［実験結果］実験結果は図３に示す通りである。図示の通り、各試料の生地裏の接触温度は、試料１〜試料３とも、比較例１〜比較例３より３０℃〜４０℃程度高くなるが、３分経過後は全てほぼ同一温度になり、試料１〜試料３とも放熱特性に優れていることが確認された。
【００３９】
　５分間の照射による上昇温度は、試料１と試料２は殆ど同じであるが、試料３は試料１や試料３より上昇温度が低い。このことから、縦横比が１：１以外の矩形状糸断面のものが有利であることを示している。
【００４０】
　試料４については、試料３より更に上昇温度が低くなり、このことからスパッタリング膜の反対面の温度が上昇しても、スパッタリング膜の温度はそれほど上昇しないことも確認された。すなわち、実施例の寝具マットのように、内部に予備発泡粒子を内包した内側袋では、仮に、その内部に熱が溜まっても、使用者に触れるチタン層はそれほど温度が上昇しないことになる。
【００４１】
　以上、寝具マットについて具体的に説明したが、具体的な記載内容は特に本発明を限定するものではない。例えば、本発明は、寝具マットに限らず、医療用マットに適用するのも好適であり、図４に示すようなマクラや寝具以外のクッション類にも適用できる。
【００４２】
　また、外側袋２３や内側袋２２の金属膜２５は、実施例のように、必ずしも外表面に設ける必要はなく、内外逆転させて内表面に金属膜２５を設けても良い。特に、外側袋２３については、金属アレルギーなどを考慮して、金属膜２５を全く設けない構成も好適である。
【００４３】
　更にまた、実施例の場合には内側袋２２と外側袋２３の二重構造としているが、特にこの構成に限定される必要はなく、外側袋２３を省略しても良い。この場合には、内側袋２２の内表面に金属膜２５を設ける構成も採用される。
【００４４】
　続いて、本発明の第２実施例であって、理想的な寝姿を実現できる安眠まくらについて説明する。図５（ａ）は、実施例に係る安眠まくらＰＬの全体像を示す斜視図であり、図６は、安眠まくらＰＬの内部構造を説明する斜視図である。
【００４５】
　図６に示す通り、この安眠まくらＰＬは、略直方体状の外袋１の中に、大小二つの円筒状の内袋２，３を収納して構成されている。そして、外袋１は、伸縮性に欠けるテント生地４〜７と、表面に金属膜を蒸着させた伸縮性生地８とを縫合して構成されている。具体的には、外袋１の底面４と、四つの側面５と、頂面に配置された横断帯６と、横断帯６と底面４とを接続する連結片７とがテント生地で構成され、横断帯６で区分される二つの頂面８Ａ，８Ｂは、伸縮性に富む生地で構成されている。
【００４６】
　側面５は、外袋１の長辺に沿って設けられる前後側面５Ａ，５Ａと、外袋１の短辺に沿って設けられる左右側面５Ｂ，５Ｂとに区分される。ここで、前後側面５Ａ，５Ａは、略正長方形に形成されているが、左右側面５Ｂ，５Ｂは、図５（ｂ）に示すように長辺を波形に湾曲させた波型長方形に形成されている。
【００４７】
　この安眠まくらＰＬは、高さの異なる複数種類が用意されているが、使用者の身長方向と直交する前後側面５Ａは、例えば、長辺６０ｃｍ×短辺３ｃｍ程度の略正長方形となっている。また、左右側面５Ｂは、例えば、長辺４０ｃｍ程度であって、短辺の最大高さＨ１，Ｈ２が、それぞれ７ｃｍと５．５ｃｍ程度に形成された波型長方形となっている。そして、後側面５Ａから右側面５Ｂにわたってファスナー９が設けられ、これが閉塞されることで安眠まくらＰＬが完成するようになっている。
【００４８】
　横断帯６と底面４とを接続する連結片７は、その有効高さが前後側面５Ａの高さとほぼ同一であるが、前後側面よりやや高く設定されている。そのため、安眠まくらＰＬの完成状態では、横断帯６は、連結片７に拘束されて中央部が窪むことになり、その結果、全体がやや波打つことになる（図５）。
【００４９】
　伸縮性生地８Ａ，８Ｂは、使用者の身長方向の幅が相違する二枚の生地で構成されており、第一生地８Ａが、例えば、２３．５ｃｍ×６０ｃｍ程度に構成されている場合には、第二生地８Ｂは、例えば、１２ｃｍ×６０ｃｍ程度の大きさで構成される。
【００５０】
　本実施例の場合、伸縮性生地８Ａ，８Ｂは、第１実施例と同じツーウェイトリコット生地の外表面に、スパッタリング加工により金属膜を形成して構成されている。このように、本実施例の伸縮性生地は、ツーウェイトリコット生地を採用しているので、縦横に延びる十分な伸縮性を実現しているが、その厚みは、第１実施例と同じく、０．３ｍｍ〜１．５ｍｍ程度のものが選択され、好ましくは、１ｍｍ未満、より好ましくは０．５ｍｍ〜０．６ｍｍのものが選択される。
【００５１】
　上記伸縮性に富む生地の外表面を覆う金属膜も特に限定されないが、好適な金属、好適な膜厚は、第１実施例の場合と同じである。
【００５２】
　上記のように構成される外袋１に収納される内袋２，３は、ツーウェイトリコット生地を円筒形状に形成してなる袋体の中に、微細な予備発泡粒子が、ほぼ一杯に収容されて構成されている。ここで、予備発泡粒子は、自然状態（非膨張状態）の袋体の容積とほぼ同一容積のものが収容されている。そのため、ツーウェイトリコット生地の優れた伸縮性とあいまって、各内袋２，３が優れた弾力性を実現する。
【００５３】
　図６に示す通り、２つの内袋２，３は太さの異なる円筒形であり、相対的に細い内袋２は、第一生地８Ａに対応する大きさに形成され、一方、相対的に太い円筒形状の内袋３は、第二生地８Ｂに対応する大きさに形成されている。そして、これら二つの内袋２，３は、図６の矢印で示すように、連結片８で仕切られた大小二つの収納空間に挿入され、やや収縮させた状態で保持される。
【００５４】
　二つの内袋２，３は、その中に予備発泡粒子を収容させた後、開口部２ａ，３ａを内外二重に連続する二重ファスナーによって閉塞させている。ここで、内側ファスナーと外側ファスナーは、その閉塞方向が互いに逆方向になっており、また、外側ファスナーは、外部からは見えないよう袋体の生地で覆われている。そのため、ファスナーの存在に気付かないのが通例であり、仮に、外側ファスナーの存在に気付いても、内側ファスナーの存在までは気付かないことが多いので、子供の悪戯によって内容物を漏出することが防止される。
【００５５】
　各内袋２，３に収容される予備発泡粒子は、ビーズ法ポリスチレンフォームの予備発泡工程で生成される発泡体であり、この実施例では、特に、その粒子径（各発泡粒子の平均直径）が０．１〜１．４ｍｍ、より好ましくは０．４〜０．９ｍｍ程度のものが使用される。なお、最終の発泡成形工程に供される手前の予備発泡粒子が使用される点は第１実施例の場合と同じである。
【００５６】
　原料ビーズは、ポリスチレン樹脂、ポリエチレン樹脂、ポリプロピレン樹脂などが使用できるが、好適には、炭化水素系の発泡剤などを含有させたポリスチレン樹脂が採用される点も第１実施例と同じである。また、残留スチレンモノマーの量が５００ｐｐｍに抑制されたものが好適である点も第１実施例で説明した通りである。
【００５７】
　この原料ビーズは、原料ビーズ１００重量部に対して、０．５〜１．５重量部の流動促進剤によって表面被覆されている。流動促進剤は、発泡粒子が流動する際の潤滑剤として機能するものであり、発泡粒子同士の摩擦によって生じる異音を抑制する作用を有している。
【００５８】
　流動促進剤としては、脂肪酸と金属の塩、脂肪酸アミン、ソルビタン脂肪酸エステル、水酸化アルミニウム、タルク、炭酸カルシウム、ポリエチレンワックスなどが好適に使用される。ここで脂肪酸としては、ステアリン酸、エチレンビスステアリン酸、ラウリン酸、パルミチン酸を例示することができる。また、金属としては、マグネシウム、カルシウム、亜鉛、バリウム、アルミニウムを例示することができる。
【００５９】
　このうち、特に好適な流動促進剤は、ステアリン酸亜鉛、ステアリン酸カルシウム、ステアリン酸マグネシウムである。これらの含有量は、原料ビーズ１００重量部に対して、０．５〜１．５重量部であるが、より好ましくは、０．６〜１．２重量部の含有量とすべきである。流動促進剤の含有量が０．５重量部未満では、異音の抑制効果が不足し、一方、１．５重量部を超えても更なる効果が期待できない。
【００６０】
　発泡剤としては、ブタン及びペンタンが好適に使用され、また、発泡助剤としてシクロヘキサンが好適に使用される。これらの含有量は、特に限定されないが、好適には、ポリスチレンが９０〜９７重量％、ブタン及びペンタンが３．０〜８．０重量％、シクロヘキサンが０〜２．０重量％である。
【００６１】
　このような組成の原料ビーズが、蒸気などを利用して８０〜１００℃程度に加熱されると、発泡剤の膨張によって原料ビーズが発泡する。この実施例では、発泡倍率が１０〜８０倍程度に設定されており、発泡粒子は略球体形状であって、その粒子径が好ましくは０．４〜０．９ｍｍ程度に管理されている。
【００６２】
　本実施例の場合、発泡剤の膨張によって発泡した発泡粒子は、所定圧の熱風によって舞い上げられて熟成サイロに導入されるようになっている。このように、発泡粒子は熱風によって１１ｍ程度上昇させた後に熟成サイロに導入されるので、導入までの過程で、発泡粒子の表面の水分を乾燥させることができ、また、発泡粒子内部の発泡剤と空気との置換を促進することができる。しかも、粒子径の選別もある程度可能であり、粒子径の揃った発泡粒子を集めることが可能となる。
【００６３】
　続いて、実施例に係る安眠まくらＰＬの使用状態について説明する。図８に示すように、この安眠まくらＰＬは、使用時には、外袋１の第二生地８Ｂに使用者の頭部を載せる。すると、内袋３の中央に重さが加わり、内部の予備発泡粒子の移動によって内袋３が左右に伸びようとする。同様に、内部の予備発泡粒子は、頭部から首に沿って下方に向かって移動しようとする。
【００６４】
　しかし、外袋１の四側面は、いずれも伸縮性に欠けるテント生地で構成されているので、内袋３は、左右に移動した予備発泡粒子によって上方に膨張する。また、下方に移動した予備発泡粒子によって首の後ろがやや膨張することになる。このように、この安眠まくらＰＬでは、内部の予備発泡粒子が頭部全体を包むように移動することになり、人間の立ち姿と同様の、Ｓ字状の頭部を形成する寝姿を実現することができる（図９（ａ）参照）。また、外袋１の四側面は、テント生地によって拘束されているので、寝返りを打った場合にも、それに反応して予備発泡粒子が流動して快適な寝姿を維持することができる。なお、図９（ｂ）は、従来の綿まくらの使用状態を図示したものであり、まくらの高さや硬さが使用者に適合していないために、肩凝りや頭痛の原因となる寝姿を示している。
【００６５】
　また、実施例に係る安眠まくらＰＬは、外袋１の外表面は金属被膜で覆われているので、優れた熱拡散効果を発揮し、頭部はいつも快適な温度に維持される。そのため、いわゆる頭寒足熱状態を維持することが可能となり、気温の高い季節でも快適な眠りが実現される。
【００６６】
　なお、この安眠まくらＰＬは、頭部に直接接触するように使用しても良いし、まくらカバーを介在させて使用しても良い。まくらカバーとしては、パイル素材が好適に使用されるが、パイル素材とは、別珍、コーデュロイ、ベルベットのような生地の表面に密集している毛羽や、タオル地の表面にある細かなループなどを備える素材を意味している。
【００６７】
　上記した本発明の安眠まくらの各効果は、株式会社消費科学研究所における検査・試験・評価結果報告書によって確認されている。実験内容を説明すると以下の通りである。
［体圧分散試験］実施例に係る安眠まくらＰＬと、従来商品のまくらを試験品として使用して、各試験品の上に体圧センサを敷き、その上に頭部を載せて圧力を測定した。なお、従来商品としては、人の体温と体圧により変化して体をベストバランスでサポートすると謳われているテンピュールまくら（登録商標）を使用した。
【００６８】
　実験環境としては、環境温度１８±２℃、５５±５％ＲＨにおいて、各試験品にまくらカバーを装着した場合と装着しない場合について圧力を測定した。なお、被験者は、２０歳代の女性一人であり、同一人による対比試験を行った。試験結果は、図１０及び図１１であり、図１０（ａ）（ｂ）は、まくらカバーを装着しない場合と装着した場合の実施例であり、図１１（ａ）（ｂ）は、まくらカバーを装着しない場合と装着した場合の比較例である。
【００６９】
　各図とも圧力センサの計測値を三次元的に描画しているが、図１０と図１１の比較から明らかなように、実施例では、比較例に見られるような、鋭い圧力ピークが存在しないことが確認される。つまり、実施例の場合にはスムーズな体圧分散が実現されていることが確認される。
【図面の簡単な説明】
【００７０】
【図１】第１実施例に係る寝具マットを説明する概略断面図である。
【図２】寝具マットの使用状態を説明する概略図である。
【図３】放熱特性を確認した実験データである。
【図４】他の実施例を説明する概略断面図である。
【図５】第２実施例に係る安眠まくらを示す斜視図である。
【図６】図５の安眠まくらの組立て方法を説明する図面である。
【図７】図５のＡ−Ａ断面図である。
【図８】図５の安眠まくらの使用状態を示す斜視図である。
【図９】実施例の安眠まくらの効果を説明する図面である。
【図１０】実施例の安眠まくらの体圧分散効果を示す図面である。
【図１１】比較例のまくらの体圧分散効果を示す図面である。
【符号の説明】
【００７１】
　２，３　　内袋
　１　　　　外袋
２１　　予備発泡粒子
２２　　袋体（内側袋）
２５　　金属被膜（チタン被膜）
ＭＴ　寝具類（寝具マット）
【図１】
2004121833.tif 000003
【図２】
2004121833.tif 000004
【図３】
2004121833.tif 000005
【図４】
2004121833.tif 000006
【図５】
2004121833.tif 000007
【図６】
2004121833.tif 000008
【図７】
2004121833.tif 000009
【図８】
2004121833.tif 000010
【図９】
2004121833.tif 000011
【図１０】
2004121833.tif 000012
【図１１】
2004121833.tif 000013